【手続補正書】
【提出日】平成15年7月31日(2003.7.31)
【手続補正１】
【補正対象書類名】明細書
【補正対象項目名】発明の名称
【補正方法】変更
【補正の内容】
【発明の名称】伝送システム、送信装置及び受信装置
【手続補正２】
【補正対象書類名】明細書
【補正対象項目名】特許請求の範囲
【補正方法】変更
【補正の内容】
【特許請求の範囲】
【請求項１】
複数のＡＭ信号と複数のデジタル変調信号とを周波数多重した周波数多重信号を送受信する伝送システムにおいて、
送信装置は、
前記デジタル変調信号に誤り訂正を施す手段と、
複数の前記ＡＭ信号と誤り訂正が施された複数の前記デジタル変調信号とを周波数多重する周波数多重手段と、
周波数多重された周波数多重信号を送信する送信手段とを備え、
受信装置は、
前記周波数多重信号を受信する受信手段と、
受信した前記周波数多重信号に含まれる複数の前記デジタル変調信号を復調する手段と、
復調されたデジタル信号に誤り訂正を施す手段とを備え、
受信した前記周波数多重信号に含まれる複数の前記デジタル変調信号の周波数帯域内における、雑音に対する歪の電力比は−６ｄＢ以下であることを特徴とする伝送システム。
【請求項２】
前記送信装置はさらに、
前記周波数多重信号をもとに歪信号を発生する歪発生手段と、
前記歪信号と前記周波数多重信号とを多重する手段とを有し、
前記歪信号は、複数の前記デジタル変調信号の周波数帯域内における、雑音に対する歪の電力比が−６ｄＢ以下になるように、前記歪発生手段で歪信号を発生することを特徴とする請求項１記載の伝送システム。
【請求項３】
伝送システムに入力される前記ＡＭ信号の信号レベルは、受信した前記周波数多重信号に含まれる複数の前記デジタル変調信号の周波数帯域内における、雑音に対する前記歪の電力比が−６ｄＢ以下となるように決定されることを特徴とする請求項１記載の伝送システム。
【請求項４】
前記送信装置はさらに、
誤り訂正が施された複数の前記デジタル変調信号にインターリーブを施す手段を有し、
前記周波数多重手段は、複数の前記ＡＭ信号とインターリーブが施された複数の前記デジタル変調信号とを周波数多重し、
前記受信装置はさらに、
復調された前記デジタル変調信号にデインターリーブを施す手段を有し、
前記誤り訂正を施す手段は、デインターリーブを施された信号に誤り訂正を施すことを特徴とする請求項１〜３いずれかに記載の伝送システム。
【請求項５】
前記誤り訂正は符号形式（２０４、１８８）のリードソロモン符号を用いて行われており、
前記インターリーブの深さは１２であることを特徴とする請求項４記載の伝送システム。
【請求項６】
前記送信装置はさらに、
前記周波数多重信号によりレーザ出力光を強度変調する手段を有し、
前記送信手段は、前記周波数多重信号によりレーザ出力光を強度変調された信号を送信することを特徴とする請求項１〜５いずれかに記載の伝送システム。
【請求項７】
複数のＡＭ信号と複数のデジタル変調信号とを周波数多重した周波数多重信号を送信する送信装置において、
前記デジタル変調信号に誤り訂正を施す手段と、
複数の前記ＡＭ信号と誤り訂正が施された複数の前記デジタル変調信号とを周波数多重する周波数多重手段と、
周波数多重された周波数多重信号を送信する送信手段とを備え、
送信された前記周波数多重信号に含まれる複数の前記デジタル変調信号の周波数帯域内における、雑音に対する歪の電力比は−６ｄＢ以下であることを特徴とする送信装置。
【請求項８】
前記送信装置はさらに、
前記周波数多重信号をもとに歪信号を発生する歪発生手段と、
前記歪信号と前記周波数多重信号とを多重する手段とを有し、
前記歪信号は、複数の前記デジタル変調信号の周波数帯域内における、雑音に対する歪の電力比が−６ｄＢ以下になるように、前記歪発生手段で発生することを特徴とする請求項７記載の送信装置。
【請求項９】
前記ＡＭ信号の信号レベルは、送信された前記周波数多重信号に含まれる複数の前記デジタル変調信号の周波数帯域内における、雑音に対する前記歪の電力比が−６ｄＢ以下となるように決定されることを特徴とする請求項７記載の送信装置。
【請求項１０】
前記送信装置はさらに、
誤り訂正が施された複数の前記デジタル変調信号にインターリーブを施す手段を有し、
前記周波数多重手段は、複数の前記ＡＭ信号とインターリーブが施された複数の前記デジタル変調信号とを周波数多重することを特徴とする請求項７〜９いずれかに記載の送信装置。
【請求項１１】
前記誤り訂正は符号形式（２０４、１８８）のリードソロモン符号を用いて行われており、
前記インターリーブの深さは１２であることを特徴とする請求項１０記載の送信装置。
【請求項１２】
前記送信装置はさらに、
前記周波数多重信号によりレーザ出力光を強度変調する手段を有し、
前記送信手段は、前記周波数多重信号によりレーザ出力光を強度変調された信号を送信することを特徴とする請求項７〜１１いずれかに記載の送信装置。
【請求項１３】
複数のＡＭ信号と誤り訂正が施された複数のデジタル変調信号とを周波数多重した周波数多重信号を受信する受信装置において、
前記周波数多重信号を受信する受信手段と、
受信した前記周波数多重信号に含まれる複数の前記デジタル変調信号を復調する手段と、
復調されたデジタル信号に誤り訂正を施す手段とを備え、
受信した前記周波数多重信号に含まれる複数の前記デジタル変調信号の周波数帯域内における、雑音に対する歪の電力比は−６ｄＢ以下であることを特徴とする受信装置。
【請求項１４】
複数の前記デジタル変調信号は誤り訂正が施された後、インターリーブが施されており、
前記受信装置はさらに、
復調された前記デジタル変調信号にデインターリーブを施す手段を有し、
前記誤り訂正を施す手段は、デインターリーブを施された信号に誤り訂正を施すことを特徴とする請求項１３記載の受信装置。
【請求項１５】
前記誤り訂正は符号形式（２０４、１８８）のリードソロモン符号を用いて行われており、
前記インターリーブの深さは１２であることを特徴とする請求項１４記載の受信装置。
【請求項１６】
前記受信手段により受信する信号は、前記周波数多重信号によりレーザ出力光を強度変調した信号であることを特徴とする請求項１３〜１５いずれかに記載の受信装置。
【請求項１７】
複数のＡＭ信号とＯＦＤＭ変調信号とを周波数多重した周波数多重信号を送信する送信装置において、
複数の前記ＡＭ信号と前記ＯＦＤＭ変調信号とを周波数多重する周波数多重手段と、
周波数多重された周波数多重信号を送信する送信手段とを備え、
前記ＯＦＤＭ変調信号の副搬送波を１５００波以上とすることを特徴とする送信装置。
【請求項１８】
複数のＡＭ信号とＯＦＤＭ変調信号とを周波数多重した周波数多重信号を受信する受信装置において、
前記周波数多重信号を受信する受信手段と、
前記周波数多重信号に含まれる前記ＯＦＤＭ変調信号を復調する手段とを備え、
前記ＯＦＤＭ変調信号の副搬送波を１５００波以上とすることを特徴とする受信装置。
【手続補正３】
【補正対象書類名】明細書
【補正対象項目名】０００６
【補正方法】変更
【補正の内容】
【０００６】
【課題を解決するための手段】
請求項１の発明は複数のＡＭ信号と複数のデジタル変調信号とを周波数多重した周波数多重信号を送受信する伝送システムであって、送信装置は、前記デジタル変調信号に誤り訂正を施す手段と、複数の前記ＡＭ信号と誤り訂正が施された複数の前記デジタル変調信号とを周波数多重する周波数多重手段と、周波数多重された周波数多重信号を送信する送信手段とを備え、受信装置は、前記周波数多重信号を受信する受信手段と、受信した前記周波数多重信号に含まれる複数の前記デジタル変調信号を復調する手段と、復調されたデジタル信号に誤り訂正を施す手段とを備え、受信した前記周波数多重信号に含まれる複数の前記デジタル変調信号の周波数帯域内における、雑音に対する歪の電力比は−６ｄＢ以下であることを特徴とする。
【手続補正４】
【補正対象書類名】明細書
【補正対象項目名】０００７
【補正方法】変更
【補正の内容】
【０００７】
前記送信装置はさらに、前記周波数多重信号をもとに歪信号を発生する歪発生手段と、前記歪信号と前記周波数多重信号とを多重する手段とを有し、前記歪信号は、複数の前記デジタル変調信号の周波数帯域内における、雑音に対する歪の電力比が−６ｄＢ以下になるように、前記歪発生手段で歪信号を発生することを特徴とする。
【手続補正５】
【補正対象書類名】明細書
【補正対象項目名】０００８
【補正方法】変更
【補正の内容】
【０００８】
さらに、伝送システムに入力される前記ＡＭ信号の信号レベルは、受信した前記周波数多重信号に含まれる複数の前記デジタル変調信号の周波数帯域内における、雑音に対する前記歪の電力比が−６ｄＢ以下となるように決定されることを特徴とする。
【手続補正６】
【補正対象書類名】明細書
【補正対象項目名】０００９
【補正方法】変更
【補正の内容】
【０００９】
前記送信装置はさらに、誤り訂正が施された複数の前記デジタル変調信号にインターリーブを施す手段を有し、前記周波数多重手段は、複数の前記ＡＭ信号とインターリーブが施された複数の前記デジタル変調信号とを周波数多重し、前記受信装置はさらに、復調された前記デジタル変調信号にデインターリーブを施す手段を有し、前記誤り訂正を施す手段は、デインターリーブを施された信号に誤り訂正を施すことを特徴とする。
【手続補正７】
【補正対象書類名】明細書
【補正対象項目名】００１０
【補正方法】変更
【補正の内容】
【００１０】
さらに本発明の前記誤り訂正は符号形式（２０４、１８８）のリードソロモン符号を用いて行われており、前記インターリーブの深さは１２であることを特徴とする。
【手続補正８】
【補正対象書類名】明細書
【補正対象項目名】００１１
【補正方法】変更
【補正の内容】
【００１１】
前記送信装置はさらに、前記周波数多重信号によりレーザ出力光を強度変調する手段を有し、前記送信手段は、前記周波数多重信号によりレーザ出力光を強度変調された信号を送信することを特徴とする。
【手続補正９】
【補正対象書類名】明細書
【補正対象項目名】００１２
【補正方法】変更
【補正の内容】
【００１２】
さらに本発明の送信装置は、複数のＡＭ信号とＯＦＤＭ変調信号とを周波数多重した周波数多重信号を送信する送信装置において、複数の前記ＡＭ信号と前記ＯＦＤＭ変調信号とを周波数多重する周波数多重手段と、周波数多重された周波数多重信号を送信する送信手段とを備え、前記ＯＦＤＭ変調信号の副搬送波を１５００波以上とすることを特徴とする。
【手続補正１０】
【補正対象書類名】明細書
【補正対象項目名】００１３
【補正方法】変更
【補正の内容】
【００１３】
さらに本発明の受信装置は、複数のＡＭ信号とＯＦＤＭ変調信号とを周波数多重した周波数多重信号を受信する受信装置において、前記周波数多重信号を受信する受信手段と、前記周波数多重信号に含まれる前記ＯＦＤＭ変調信号を復調する手段とを備え、前記ＯＦＤＭ変調信号の副搬送波を１５００波以上とすることを特徴とする。
【手続補正１１】
【補正対象書類名】明細書
【補正対象項目名】００１４
【補正方法】削除
【補正の内容】